(57)【特許請求の範囲】
【請求項１】
分離膜を間に挟んで異なる極性を有する一対の電極板を有する１つ以上の単位セル及び前記電極板からそれぞれ突出する電極タブを含む電極組立体と、
前記電極タブに連結される一対の電極リードと、
前記電極組立体を構成する電極タブのうち何れか１つの電極リード連結用タブの上に重ねられた補強タブと、を含み、
前記電極リード連結用タブと前記電極リードとが互いに連結されたタブ−リード結合部は、前記電極組立体の内部に挿入された状態で位置する、フレキシブル電池。
【請求項２】
前記一対の電極リードのうち何れか１つは、前記電極リード連結用タブと前記電極リードとの間に配置される補強タブの上に結合されて前記電極リード連結用タブに連結されることを特徴とする、請求項１に記載のフレキシブル電池。
【請求項３】
前記一対の電極リードのうち何れか１つは、前記電極組立体の内側方向から前記電極組立体の外側方向を向けて曲げられる構造を特徴とする、請求項１に記載のフレキシブル電池。
【請求項４】
前記電極タブのうち電極並列連結用タブは、積層された複数の電極板のうち同じ極性を有する電極板を互いに連結する構造である、請求項１に記載のフレキシブル電池。
【請求項５】
前記電極並列連結用タブを介して同じ極性の電極板が互いに電気的に並列連結されたタブ−タブ結合部は、前記電極組立体の最上段又は最下段を成す最外殻電極板の外面を包んでいる分離膜の上又は下に位置される、請求項４に記載のフレキシブル電池。
【請求項６】
前記フレキシブル電池は、
前記電極組立体の外部を囲むように上部圧印部と下部圧印部とが繰り返し形成された外装材部をさらに含む、請求項１に記載のフレキシブル電池。
【請求項７】
前記複数の上部圧印部と下部圧印部は、前記電極組立体及び外装材部の幅と平行な方向に連続して形成される、請求項６に記載のフレキシブル電池。
【請求項８】
前記電極板は、前記電極リード連結用タブと電極並列連結用タブとを全て含む第１の電極板と、電極並列連結用タブのみを一側に含む第２の電極板と、を含み、
前記第１の電極板の電極リード連結用タブを覆うように前記第２の電極板の上に電極合材が塗布される、請求項１に記載のフレキシブル電池。
【発明の詳細な説明】
【技術分野】
【０００１】
本発明は、フレキシブル電池アセンブリであって、電極組立体を構成する電極タブ及び電極リードの間を接合する場合に、前記電極リード連結用タブと電極リードとの間に別途の所定厚さの金属プレート形状を有する補強タブを配置し、且つ、電極リードの末端部位を電極リード連結用タブの上に溶着した状態で１８０゜反対方向に曲げられ、前記電極組立体の外側方向を向いた構造であり、二次電池が曲げられる環境でも電気化学的特性を維持することのできる、電極タブと電極リードとの間の結合補強構造を有するフレキシブル電池に関する。
【背景技術】
【０００２】
二次電池（ｓｅｃｏｎｄａｒｙ  ｂａｔｔｅｒｙ）は、充電が不可能な一次電池とは異なり、充電及び放電が可能な電池を言うものであって、セルラーフォン、ノートパソコン、カムコーダなどの先端電子機器分野で広く使用されている。上記した携帯型電子機器の軽量化と高機能化、及びモノのインターネット（Ｉｎｔｅｒｎｅｔ  ｏｆ  ｔｈｉｎｇｓ、ＩｏＴ）が発展することにより、その駆動電源として使用される二次電池に関して多くの研究が行われている。
【０００３】
特に、リチウム二次電池は、携帯用電子装備の電源として多く使用されているニッケル−カドミウム電池や、ニッケル−水素電池よりも電圧が高く、単位重量当たりのエネルギー密度も高いという長所があるので、その需要が増加している傾向である。
【０００４】
二次電池は、電解質に陽極と陰極を挿入した状態で、上記した陽極と陰極を連結した際に電解質と電極との間で生じる電気化学的反応を用いた電池であって、既存の一次電池とは異なり、電気電子製品で消耗されたエネルギーを充電器により再充電して繰り返し使用できる充電と放電が可能な電池であるので、無線電気電子製品の大衆化と共に拡散している傾向である。
【０００５】
通常、陽極板と陰極板との間に分離膜を挿入し、これらを共に螺旋状に巻き取ったゼリーロール形態の巻取型電極組立体、あるいは分離膜を間に挟んで多数の陽極板と陰極板を積層して形成されたフレキシブル積層型電極組立体をリチウム二次電池に多く使用している。例えば、円筒形電池は、巻取型電極組立体を円筒形のカンに収納し、電解質を注入してから封止するものであり、角形電池は、巻取型電極組立体や積層型電極組立体を押圧して扁平にしてから角形のカンに収納するものである。また、ポーチ型電池は、巻取型電極組立体や積層型電極組立体を電解質と共にポーチ型の外装材で包装したものである。かかる電極組立体において、陽極板と陰極板からそれぞれ陽極タブと陰極タブが電極組立体の外部に引き出され、二次電池の陽極と陰極に連結され得る。
【０００６】
一方、上下方向に積層された多数の陽極板と陰極板上の電極タブを介して電極リードに連結することになるが、従来の電極タブと電極リードとの間の結合構造は、直接溶着する過程で結合力が多少低下し、曲げたりするような電池の変形使用動作により前記電極タブと電極リードとの間の結合に問題が生じる。
【０００７】
韓国公開特許公報第１０−２０１３−００６３７０９号を参照し、ポーチ型電池を例にして説明すると、２つの電極と分離膜、電解質をポーチに入れ、シーリングして使用するポーチ型二次電池において、ポーチが内部樹脂層、金属箔層、外部樹脂層からなり、内部樹脂層と金属箔層とが接する面に金属箔層よりも反応性の小さいバッファ層が形成されていると開示されている。この場合、金属箔層よりも反応性の小さいバッファ層をさらに形成することによって、内部樹脂層にマイクロクラック（ｍｉｃｒｏ  ｃｒａｃｋ）が生じるなど損傷する場合も、金属箔層の酸化反応を抑制することで電池の外側腐食を防止できるという長所があるが、根本的に金属箔はベンディング時に撚れのような変形に脆弱であり、フレキシブル電池の特性を低下させるといった問題点がある。
【０００８】
従来技術において、一般的な電池アセンブリの曲げ動作の際は、曲げられる内側には圧縮応力が印加され、その反対側には引張応力が電池に印加されることにより、電池の電極組立体を包む外装材も伸びたり縮みながら局所的な機械的破損が生じる。従って、フレキシブル特性に適した新たなフレキシブル電池アセンブリが必要な状況である。
【先行技術文献】
【特許文献】
【０００９】
【特許文献１】韓国公開特許公報第１０−２０１３−００６３７０９号（ＫＲ１０−２０１３−００６３７０９Ａ）
【発明の概要】
【発明が解決しようとする課題】
【００１０】
本発明は、上記した従来の問題点を解消するためのものであって、電極組立体を構成する電極リード連結用タブ及び電極リードの間を接合する場合に、前記電極リード連結用タブと電極リードとの間に別途の所定厚さの金属プレート形状を有する補強タブを配置し、且つ、電極リードの末端部位を電極リード連結用タブの上に溶着した状態で１８０゜反対方向に曲げられ、前記電極組立体の外側方向を向いた構造で、フレキシブル電池の曲げ動作による局所的な機械的負荷を最小化し、電気化学的特性を維持することによって、安定したフレキシブル電池を提供することを目的としている。
【課題を解決するための手段】
【００１１】
上記した課題を解決するために、本発明によるフレキシブル電池アセンブリは、分離膜を間に挟んで異なる極性を有する一対の電極板を有する１つ以上の単位セル及び前記電極板からそれぞれ突出する電極タブを含む電極組立体と、前記電極タブに連結される一対の電極リードと、前記電極組立体を構成する電極タブのうち何れか１つの電極リード連結用タブの上に重ね当てられた補強タブと、を含む。前記一対の電極リードのうち何れか１つは、前記電極リード連結用タブと前記電極リードとの間に配置される補強タブの上に結合されて前記電極リード連結用タブに連結されることを特徴とする。前記一対の電極リードのうち何れか１つは、前記電極組立体の内側方向から前記電極組立体の外側方向を向けて曲げられる構造である。
【００１２】
前記電極並列連結用タブを介して同じ極性の電極板が互いに電気的に並列連結されたタブ−タブ結合部は、前記電極組立体の最上段又は最下段を成す最外殻電極板の外面を包んでいる分離膜の上に位置される。
【００１３】
前記フレキシブル電池は、前記電極組立体の外部を囲むように上部圧印部と下部圧印部とが繰り返し形成された外装材部をさらに含む。
【００１４】
前記複数の上部圧印部と下部圧印部は、前記電極組立体及び外装材部の幅と平行な方向に連続して形成される。
【００１５】
電極リード連結用タブと電極リードとが互いに連結されたタブ−リード結合部は、電極組立体の内部に位置された状態である。
【００１６】
前記電極板は、前記電極リード連結用タブと前記電極並列連結用タブとを両側上に全て含む第１の電極板と、前記電極並列連結用タブのみを一側に含む第２の電極板と、を含み、前記第１の電極板の電極リード連結用タブを覆うように前記第２の電極板の上に電極合材が塗布される。
【発明の効果】
【００１７】
本発明によれば、電極組立体を構成する電極リード連結用タブ及び電極リードの間を接合する場合に、前記電極リード連結用タブと電極リードとの間に別途の所定厚さの金属プレート形状を有する補強タブを配置し、且つ、電極リードの末端部位を電極リード連結用タブの上に溶着した状態で１８０゜反対方向に曲げられ、前記電極組立体の外側方向を向いた構造で、前記フレキシブル電池の曲げ動作による局所的な機械的負荷を最小化し、電気化学的特性を維持することによって、安定したフレキシブル電池を具現することができる。
【図面の簡単な説明】
【００１８】
【図１】本発明に係るフレキシブル電池を構成する電極組立体の例示的な構成を示す。
【図２】図１の電極組立体の分解図を示す。
【図３】本発明により電極リード連結用タブと電極リードとの間で補強タブを用いて重ね当て補強構造を完成する過程を示す。
【図４】電極リード連結用タブの上に重ね当てられた補強タブの具体的な寸法を示す。
【図５】電極リード連結用タブの上に結合される電極リードとのタブ−リード結合部の具体的な寸法を示す。
【図６】フレキシブル電池の上で電極リード連結用タブと電極リードとの間に重ね当てる補強タブの様々な形態を示す。
【図７】本発明により電極リード連結用タブの上に電極リードの曲げ構造を用いて結合する過程を示す。
【図８】電極リード連結用タブの上に結合された電極リード部位の具体的な寸法を示す。
【図９】電極リード連結用タブ及び電極リードの具体的な材質を示す。
【図１０】電極組立体及び前記電極組立体を包む外装材部を有するフレキシブル電池を示す。
【図１１】フレキシブル電池を成す外装材部において、前記外装材部の幅と平行な方向に上部圧印部及び下部圧印部などのパターンが形成された態様を示す。
【図１２】外装材部に形成された上部圧印部及び下部圧印部の具体的な形態を説明する。
【図１３】フレキシブル電池を曲げる場合に、外装材部の内／外側に生じる変形を示す。
【図１４】電極組立体の内部に電極リード連結用タブと電極リードとの間の重ね当て補強結合構造及び電極リードの曲げ構造を含むタブ−リード結合部を挿入すると同時に電極を整列する態様を示す。
【図１５】タブ−リード結合部が挿入されると同時に電極が整列された電極組立体を適用した電池と前記内容が適用されていない電池との比較を示す。
【図１６】重ね当て補強結合構造及び電極リードの曲げ構造を同時に含むタブ−リード結合部を電極組立体内に挿入するために、電極組立体を構成する電極板の形態の一実施例を示す。
【図１７】重ね当て補強結合構造及び電極リードの曲げ構造を同時に含むタブ−リード結合部を電極組立体内に挿入する前／後の曲げ評価の比較を示す。 
【発明を実施するための形態】
【００１９】
以下、添付された図面を参照しながら、本発明に係るフレキシブル電池について説明することとする。
【００２０】
以下の実施例は本発明の理解を助けるための詳細な説明であり、本発明の権利範囲を限定するものではない。従って、本発明と同一な機能を行う均等な発明も本発明の権利範囲に属するはずである。
【００２１】
また、各図面の構成要素に参照符号を付け加えるにおいて、同じ構成要素に対しては、たとえ異なる図面上に表示されているとしても、できるだけ同じ符号を付けていることに留意しなければならない。また、本発明を説明するにおいて、関連した公知の構成又は機能に関する具体的な説明が本発明の要旨を不明にし得ると判断される場合は、その詳細な説明は省略する。
【００２２】
また、本発明の構成要素を説明するにおいて、第１、第２、Ａ、Ｂ、（ａ）、（ｂ）などの用語を使用することができる。このような用語は、その構成要素を他の構成要素と区別するためのものであるだけで、その用語によって当該構成要素の本質や順番又は手順などが限定されるものではない。ある構成要素が他の構成要素に「連結」、「結合」又は「接続」されると記載された場合、その構成要素は、その他の構成要素に直接連結されたり、あるいは接続され得るが、各構成要素の間に他の構成要素が「連結」、「結合」又は「接続」されることもあり得ると理解しなければならない。
【００２３】
図１及び図２を参照しながら、本発明に係るフレキシブル電池を構成する電極組立体の一実施例を説明する。
【００２４】
電極組立体は、分離膜３０を間に挟んで陰極板１０と陽極板２０とに区分された単位セルＡと、陰極板と陽極板との間でイオン受け渡しの媒介体としての役割をする電解液と、電極板から突出した状態で用途に応じて電極並列連結用と電極リード連結用とに分けられる電極タブと、を含む。前記陰極板１０と陽極板２０とを含む電極板のうち何れか１つ以上の電極板は、電極並列連結用タブと電極リード連結用タブを両側に離れて配置することができる。例えば、電極組立体１００の最下段に配置される任意の陰極板１０は、陰極並列連結用タブ１２と陰極リード連結用タブ１４とを備え、前記任意の陰極板１０と対面している分離膜の反対側に対面している任意の陽極板２０は、陽極並列連結用タブ２２と陽極リード連結用タブ２４とを備える。
【００２５】
ここで、電極板は、電極合材が電極集電体である電極板の断面又は両面に塗布され、前記電極並列連結用タブ及び電極リード連結用タブは、前記電極板から突出した形態である。一方、前記電極並列連結用タブ及び電極リード連結用タブには、電極合材が塗布されていない状態で露出した形態である。
【００２６】
前記複数の電極板は、電極並列連結用電極タブを介して同じ極同士で連結される。即ち、複数の陰極板１０及び複数の陽極板２０は、それぞれ電極タブの間を連結するタブ−タブ結合部によって電気的に並列連結される。一方、電極組立体は、電極リード連結用タブを介して外装材の外部に露出している電極リードと電気的に連結される構造を有する。分離膜は、電極板を物理的に離隔させるが、電解液に含まれたイオンは通過させる機能をする。
【００２７】
前記電極組立体の最上段及び最下段に配置される陰極板は、陰極合材が断面にのみ塗布された状態であり得る。
【００２８】
陰極板１０又は陽極板２０の上で突出した状態の電極並列連結用タブ１２、２２は、同じ極性の電極板は互いに電気的に並列連結させる。並列連結されたタブ−タブ結合部は、電極組立体の最上段又は最下段を成す最外殻電極板の外面を包んでいる分離膜の上に位置し、仕上げテーピング処理される。
【００２９】
本発明において、電極板に形成された電極並列連結用タブ１２、２２が互いに並列連結されたタブ−タブ結合部及び電極リード連結用タブ１４、２４と電極リードとが互いに連結されたタブ−リード結合部の間の連結及び接合は、スポット溶接、超音波溶接、レーザ溶接、及び導電性接着剤による結合を含む接合方式のうち何れか１つによって電気的に連結される。
【００３０】
図３を参照しながら、電極組立体の一側に配置された電極リード連結用タブ１４、２４の上に別途の補強タブ５０を補強した後、前記補強タブ５０に電極リード６０を結合することにより、電極リード連結用タブ１４、２４と電極リード６０を補強タブ５０を用いて重ね当て構造を形成する過程を説明する。電極リード連結用タブ１４、２４と電極リード６０の補強された接合方式は、陽極タブ及び陰極タブのうち少なくとも何れか１つに該当する。
【００３１】
図３ａは、電極組立体を成す複数の電極板のうち、電極リード連結用タブのある電極が電極組立体の一側に突出した状態で、重ね当てられる金属材質の補強タブ５０を結合する準備をする。
【００３２】
図３ｂは、補強タブ５０を電極リード連結用タブの上に結合した状態を示す。
【００３３】
図３ｃは、補強タブ５０が付け加えられた電極リード連結用タブの上に電極リードを結合する準備をする。
【００３４】
図３ｄは、電極リードを補強タブ５０が付け加えられた電極リード連結用タブの上に結合した状態を示す。
【００３５】
図４を参照すると、電極リード連結用タブの上に重ね当てられた補強タブ５０は、電極リード連結用タブと電極リード６０の連結部分の強度を補強することによって物理的に強化する。
【００３６】
電極組立体の電極板から延びる電極リード連結用タブの上段に前記電極リード連結用タブよりも１倍〜３倍厚い同種又は異種の金属補強タブ５０を重ね当てることによって補強し、溶着する。重ね当てることで補強された補強タブ５０及び電極リード連結用タブは、同一又は異なる幅を有する。
【００３７】
補強される補強タブ５０の幅は３ｍｍ〜５ｍｍ、長さは２ｍｍ〜４ｍｍであり得るが、これは一実施例であるだけで、これに限定されるものではない。
【００３８】
図５を参照すると、重ね当て補強された補強タブ５０の上に接合することで電極リード連結用タブと結合する電極リードは、具体的に２ｍｍ〜３ｍｍの幅及び０．５ｍｍ〜１ｍｍの長さを有し得るが、これは一実施例であるだけで、これに限定されるものではない。本発明において、電極板の集電体は、アルミニウム、ステンレススチール、及び銅を含むグループのうち何れか１つであり、電極リードは、アルミニウム、ニッケル、及びニッケルがコーティングされた銅を含むグループのうち何れか１つの材質を有し得る。
【００３９】
図６を参照すると、電極リード連結用タブと電極リードのタブ−リード結合部の上に重ね当て補強する補強タブ５０は、円形、楕円形、及び多角形を含むグループのうち１つの形状に形成される。
【００４０】
図７を参照すると、電極組立体の一側に配置された電極リード連結用タブ１４、２４の上に電極リード６０を結合する過程を説明する。
【００４１】
電極リード６０を電極リード連結用タブ１４、２４の上部に並んで配置した状態で、電極リード６０の末端一部を電極リード連結用タブ１４、２４の上段に溶着する。上記した状態で、電極リード６０を１８０゜曲げる過程により、電極リード６０を電極リード連結用タブ１４、２４から電極組立体の外側方向に向かわせる。
【００４２】
電極リード連結用タブ１４、２４と電極リード６０を曲げることによる接合方式は、陽極タブ及び陰極タブのうち少なくとも何れか１つに該当する。
【００４３】
図８を参照すると、電極組立体の電極板から延びる電極リード連結用タブの上段に結合される電極リード６０の結合部位の幅は２ｍｍ〜３ｍｍ、長さは１ｍｍ〜３ｍｍであり得る。一方、結合部位の長さの最適値は１．５ｍｍであり得るが、これは一実施例であるだけで、これに限定されるものではない。
【００４４】
図９を参照すると、電極板の集電体は、アルミニウム、ステンレススチール、及び銅を含むグループのうち何れか１つであり、電極リードは、アルミニウム、ニッケル、及びニッケルがコーティングされた銅を含むグループのうち何れか１つの材質を有し得る。
【００４５】
図１０を参照すると、本発明に係る電極組立体は、前記電極組立体の外部を囲むように上部圧印部と下部圧印部とが繰り返し圧印加工された構造の外装材部２００を配置する。
【００４６】
図１１を参照すると、外装材部の上に繰り返して圧印加工された複数の上部圧印部と下部圧印部は、曲げ、捩れ又は撚れ動作において、電極組立体を有するフレキシブル電池の圧縮及び引張が可能なようにパターン及び形態が繰り返される。
【００４７】
前記複数の上部圧印部と下部圧印部は、前記電極組立体及び外装材部の幅と平行な方向に連続して形成される。
【００４８】
前記複数の上部圧印部と下部圧印部は、それぞれ上部と下部金型で圧印される。
【００４９】
電極組立体の外部を囲む外装材部は、シーリング部２３０の赤い点線を基準にして前記電極組立体の上で上部外装材部２１０及び下部外装材部２２０を有する形態であり得る。即ち、外装材部の上で繰り返される複数の上部圧印部２１２、２２２と下部圧印部２１４、２２４は、シーリング部を基準に対称な構造に形成され、上部外装材部２１０と下部外装材部２２０の上に対称的に圧印される。上記した状態で、前記シーリング部を上下対称に折り曲げた後、前記外装材部の内部に前記電極組立体を収容することになる。
【００５０】
前記上部外装材部２１０と下部外装材部２２０を区分する基準であるシーリング部の幅は３ｍｍ〜５ｍｍであり、実際のシーリング幅は１ｍｍ〜２ｍｍであり得るが、これは一実施例であるだけで、これに限定されるものではない。
【００５１】
図１２を参照すると、前記外装材部の上で繰り返される複数の上部圧印部の高さｈと下部圧印部の高さｈ’は同一（ｈ＝ｈ’）であり得る。
【００５２】
前記外装材部の上で繰り返される複数の上部圧印部の高さｈと下部圧印部の高さｈ’は０．５ｍｍ〜１ｍｍであり、最適値は０．７５ｍｍであるが、これは一実施例であるだけで、これに限定されるものではない。
【００５３】
一方、前記外装材部の上に隣接した複数の上部圧印部の最高点間の幅ａと複数の下部圧印部の最低点間の幅ｂは同一（ａ＝ｂ）であり、波状のパターンを形成する。
【００５４】
図１３を参照すると、フレキシブル電池を構成する外装材部の上に外力が作用して曲げ状態に変形される場合に、フレキシブル電池の外側には外装材部の上に引張が作用し、フレキシブル電池の内側には外装材部の上に圧縮が作用することを確認することができる。
【００５５】
前記繰り返される複数の上部圧印部の高さｈは、曲げ、捩れ又は撚れ動作により、内側には圧縮応力によってｈ以上２ｈ以下に増加し、逆に外側には引張応力によって０以上ｈ以下に減少する。
【００５６】
図１４を参照すると、電極リード連結用タブと電極リードとの間の結合方式を複数の構造にて採用する。即ち、第１のタブ−リード結合部は、電極リード連結用タブと電極リードとの間に補強タブを介して重ね当て補強を施した構造を示し、第２のタブ−リード結合部は、電極リードの末端一部を電極リード連結用タブ１４、２４の上段に溶着した状態で１８０゜反対方向に曲げられ、電極組立体の外側方向を向いた構造を示す。重ね当て補強結合構造及び電極リードの曲げ結合構造を含むタブ−リード結合部を電極組立体の内部に挿入した後、タブ−タブ結合部に整列した状態を示す。
【００５７】
図１５を参照すると、タブ−リード結合部が挿入されると同時に電極が整列された電極組立体を適用した電池と前記内容が適用されていない電池との比較を示す。
【００５８】
図１７を参照すると、左側の図面上において、補強タブ５０を介した重ね当て補強結合構造及び電極リードの曲げ結合構造を含むタブ−リード結合部を電極組立体の内に挿入する前は、フレキシブル電池の評価項目のうち曲げ評価（ベンディングテスト）中に電極リード連結用タブと電極リード結合部上において切れ現象が生じたことを確認することができる。
【００５９】
しかし、右側の図面上において、補強タブ５０を介した重ね当て補強結合構造及び電極リードの曲げ結合構造を含むタブ−リード結合部を電極組立体の内に挿入した後は、フレキシブル電池の評価項目のうち曲げ評価（ベンディングテスト）中に電極リード連結用タブと電極リード結合部上において切れ現象が生じていないことを確認することができる。
【００６０】
図１６を参照すると、補強タブ５０を介した重ね当て補強結合構造及び電極リードの曲げ結合構造を含むタブ−リード結合部を電極組立体の内に挿入するために、電極組立体を構成する電極板の形態の実施例を示す。
【００６１】
電極組立体を構成する電極板は、電極リード連結用タブと電極並列連結用タブとを両側上に全て含む第１の電極板Ｅ１と、電極並列連結用タブのみを一側に含む第２の電極板Ｅ２と、を含む。
【００６２】
第１の電極板Ｅ１を見ると、電極合材が塗布された部分の横の長さと縦の長さがそれぞれＷとＤで、ＷＤの面積を有する。電極リード連結用タブの縦の長さはＤ’である。
【００６３】
第２の電極板Ｅ２を見ると、電極合材が塗布された部分の横の長さと縦の長さがそれぞれＷとＤ＋Ｄ’で、Ｗ（Ｄ＋Ｄ’）の面積を有する。
【００６４】
上記した構造により、接合されたタブ−リード結合部を電極組立体の内部に挿入して整列すると同時に安定的にセル駆動することが可能となる。
【００６５】
以下、前記補強タブ５０を介した重ね当て補強結合構造及び電極リードの曲げ結合補強構造を有するフレキシブル電池に関する具体的な実験条件を例示して説明する。
【００６６】
本発明に係るフレキシブル電池は、連続曲げ特性をテストするために、Ｒ２０の円筒状構造体を用いて曲げテストを進行した。具体的に、５，０００回に亘るテストの繰り返しによって９０％以上の容量保存率を有することを確認することができる。
【００６７】
具体的な動作環境は、下記の表１の通りである。
【００６８】
【表１】
0006899536.tif 000002
【００６９】
本発明は、電極組立体を構成する電極リード連結用タブ及び電極リードの間を接合する場合に、前記電極リード連結用タブと電極リードとの間に別途の所定厚さの金属プレート形状を有する補強タブを配置し、且つ、電極リードの曲げ結合構造を併合することでフレキシブル電池の曲げ動作による局所的な機械的負荷を最小化し、電気化学的特性を維持することによって、安定したフレキシブル電池を具現可能にする。
【図１】
0006899536.tif 000003
【図２】
0006899536.tif 000004
【図３】
0006899536.tif 000005
【図４】
0006899536.tif 000006
【図５】
0006899536.tif 000007
【図６】
0006899536.tif 000008
【図７】
0006899536.tif 000009
【図８】
0006899536.tif 000010
【図９】
0006899536.tif 000011
【図１０】
0006899536.tif 000012
【図１１】
0006899536.tif 000013
【図１２】
0006899536.tif 000014
【図１３】
0006899536.tif 000015
【図１４】
0006899536.tif 000016
【図１５】
0006899536.tif 000017
【図１６】
0006899536.tif 000018
【図１７】
0006899536.tif 000019